【手続補正書】
【提出日】平成20年8月8日(2008.8.8)
【手続補正１】
【補正対象書類名】明細書
【補正対象項目名】特許請求の範囲
【補正方法】変更
【補正の内容】
【特許請求の範囲】
【請求項１】
原稿画像を読み取る画像読取装置と、読み取られた該原稿画像のデータを処理するコンピュータとが接続された画像処理システムであって、
前記画像読取装置は、
原稿画像を読み取って画像データを生成する読取り手段と、
前記画像データに対して、該画像データより低い階調に変換する第１の変換手段と、
前記第１の変換手段によって変換された画像データを前記コンピュータに転送する転送手段とを備え、
前記コンピュータは、
前記画像読取装置から転送された画像データに対して、該転送された画像データより高い階調に変換する第２の変換手段と、
前記第２の変換手段によって変換された画像データに対して、該変換された画像データより低い階調に変換するとともに、ガンマ補正を施すガンマ補正手段と、
を備えることを特徴とする画像処理システム。
【請求項２】
前記第１の変換手段は、前記読取り手段で生成された画像データに対して、ガンマ補正を行う第２のガンマ補正手段を更に備え、
前記第２のガンマ補正手段におけるガンマの値は、前記ガンマ補正手段におけるガンマの値と等しいことを特徴とする請求項１に記載の画像処理システム。
【請求項３】
前記第２の変換手段は、前記転送手段によって転送された画像データに対して、ガンマ補正を行う第３のガンマ補正手段を更に備え、
前記第３のガンマ補正手段におけるガンマの値は、前記第２のガンマ補正手段におけるガンマの値の逆数であることを特徴とする請求項２に記載の画像処理システム。
【請求項４】
前記ガンマ補正手段におけるガンマの値は、前記コンピュータに備えられたディスプレイに応じたガンマの値であることを特徴とする請求項１乃至３のいずれか１項に記載の画像処理システム。
【請求項５】
前記ガンマ補正手段によってガンマ補正された画像データに基づいて、前記原稿画像に対応する画像を表示する表示手段を、更に含むことを特徴とする請求項１乃至４のいずれか１項に記載の画像処理システム。
【請求項６】
原稿画像を読み取る画像読取装置と、読み取られた該原稿画像のデータを処理するコンピュータとが接続された画像処理システムにおいて実行される画像処理方法であって、
前記画像読取装置の読取り手段が、原稿画像を読み取って画像データを生成する読取り工程と、
前記画像読取装置の第１の変換手段が、前記画像データに対して、該画像データより低い階調に変換する第１の変換工程と、
前記画像読取装置の転送手段が、前記第１の変換工程において変換された画像データを前記コンピュータに転送する転送工程と、
前記コンピュータの第２の変換手段が、前記転送工程において転送された画像データに対して、該転送された画像データより高い階調に変換する第２の変換工程と、
前記コンピュータのガンマ補正手段が、前記第２の変換工程において変換された画像データに対して、該変換された画像データより低い階調に変換するとともに、ガンマ補正を施すガンマ補正工程と、
を備えることを特徴とする画像処理方法。
【請求項７】
前記ガンマ補正工程においてガンマ補正された画像データに基づいて、前記原稿画像に対応する画像を表示する表示工程を、更に備えることを特徴とする請求項６に記載の画像処理方法。
【請求項８】
原稿画像を読み取る画像読取装置と、読み取られた該原稿画像のデータを処理するコンピュータとが接続された画像処理システムにおいて、
前記画像読取装置を、
原稿画像を読み取って画像データを生成する読取り手段と、
前記画像データに対して、該画像データより低い階調に変換する第１の変換手段と、
前記第１の変換手段によって変換された画像データを前記コンピュータに転送する転送手段として機能させ、
前記コンピュータを、
前記画像読取装置から転送された画像データに対して、該転送された画像データより高い階調に変換する第２の変換手段と、
前記第２の変換手段によって変換された画像データに対して、該変換された画像データより低い階調に変換するとともに、ガンマ補正を施すガンマ補正手段と、
して機能させることを特徴とするプログラム。
【請求項９】
前記コンピュータを、前記ガンマ補正手段によってガンマ補正された画像データに基づいて、前記原稿画像に対応する画像を表示する表示手段として、更に機能させることを特徴とする請求項８に記載のプログラム。
【請求項１０】
原稿画像を読み取る画像読取装置と読み取られた該原稿画像のデータを処理するコンピュータとが接続され、読み取られた原稿画像に階調変換及びガンマ補正を行って前記コンピュータに転送する画像処理システムにおいて、
原稿画像を読み取って画像データを生成する読取り手段と、
前記画像データに対して、該画像データより低い階調に変換するとともに、前記コンピュータに備えられたディスプレイに応じたガンマの値によってガンマ補正するガンマ補正手段と、
前記ガンマ補正手段によってガンマ補正された画像データを前記コンピュータに転送する転送手段と、
を備えることを特徴とする画像読取装置。
【請求項１１】
原稿画像を読み取る画像読取装置と読み取られた該原稿画像のデータを処理するコンピュータとが接続され、読み取られた原稿画像に階調変換及びガンマ補正を行って前記コンピュータに転送する画像処理システムの前記画像読取装置において実行される画像読取り方法であって、
前記画像読取装置の読取り手段が、原稿画像を読み取って画像データを生成する読取り工程と、
前記画像読取装置のガンマ補正手段が、前記画像データに対して、該画像データより低い階調に変換するとともに、前記コンピュータに備えられたディスプレイに応じたガンマの値によってガンマ補正するガンマ補正工程と、
前記画像読取装置の転送手段が、前記ガンマ補正工程においてガンマ補正された画像データを前記コンピュータに転送する転送工程と、
を備えることを特徴とする画像読取方法。
【手続補正２】
【補正対象書類名】明細書
【補正対象項目名】００１９
【補正方法】変更
【補正の内容】
【００１９】
原稿画像を読み取る画像読取装置と、読み取られた該原稿画像のデータを処理するコンピュータとが接続された画像処理システムであって、前記画像読取装置は、原稿画像を読み取って画像データを生成する読取り手段と、前記画像データに対して、該画像データより低い階調に変換する第１の変換手段と、前記第１の変換手段によって変換された画像データを前記コンピュータに転送する転送手段とを備え、前記コンピュータは、前記画像読取装置から転送された画像データに対して、該転送された画像データより高い階調に変換する第２の変換手段と、前記第２の変換手段によって変換された画像データに対して、該変換された画像データより低い階調に変換するとともに、ガンマ補正を施すガンマ補正手段とを備えることを特徴とする。
【手続補正３】
【補正対象書類名】明細書
【補正対象項目名】００２０
【補正方法】削除
【補正の内容】
【手続補正４】
【補正対象書類名】明細書
【補正対象項目名】００２１
【補正方法】削除
【補正の内容】
【手続補正５】
【補正対象書類名】明細書
【補正対象項目名】００２２
【補正方法】削除
【補正の内容】
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】削除
【補正の内容】
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】発明の名称
【補正方法】変更
【補正の内容】
【発明の名称】画像読取装置及び方法、並びに、それを用いた画像処理システム、方法、及び、プログラム、